(57)【要約】  電子ペーパー２と電子ペーパー２を認証する認証装置３とからなる情報表示装置１が、位置検知手段２１（３１）と判断処理手段２３（３３）と情報表示手段２２（３２）とを備える。位置検知手段２１（３１）は電子ペーパー２及び認証装置３に備えられ、電子ペーパー２と認証装置３とが重ねられた場合の電子ペーパー２と認証装置３との間の相対的な位置を検知する。位置検知手段２１（３１）はＲＦＩＤタグ及びＲＦＩＤタグの識別情報を読み取るＲＦＩＤタグリーダからなる。判断処理手段２３（３３）は検知された当該相対的な位置が所定の関係にあるかを判断し、当該判断結果に基づいて、電子ペーパー２又は認証装置３に対して制御信号を送出する。情報表示手段２２（３２）は送出された制御信号に基づき、電子ペーパー２上又は認証装置３上に文字情報等を表示する。
2007135711.tif 000002
【特許請求の範囲】
【請求項１】
電子ペーパーと前記電子ペーパーを認証する認証装置とからなる情報表示装置であって、
前記電子ペーパー及び前記認証装置に備えられ、前記電子ペーパーと前記認証装置とが重ねられた場合の前記電子ペーパーと前記認証装置との間の相対的な位置を検知する第１及び第２の位置検知手段と、
前記第１及び第２の位置検知手段によって検知された前記相対的な位置が所定の関係にあるかを判断する位置認証処理を行い、前記位置認証処理結果に基づいて、前記電子ペーパー又は前記認証装置に対して制御信号を送出する判断処理手段と、
前記送出された制御信号に基づいて、前記電子ペーパー上又は前記認証装置上に文字情報又は画像情報を表示する情報表示手段とを備え、
前記第１及び第２の位置検知手段が、ＲＦＩＤタグ及び前記ＲＦＩＤタグの識別情報を読み取るＲＦＩＤタグリーダからなる
ことを特徴とする情報表示装置。
【請求項２】
請求項１に記載の情報表示装置において、
前記情報表示手段が、前記電子ペーパーと前記認証装置とを重ねるべき領域を示す画像である配置画像を前記電子ペーパー上又は前記認証装置上に表示し、
前記判断処理手段が、前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する
ことを特徴とする情報表示装置。
【請求項３】
請求項１に記載の情報表示装置において、
前記情報表示手段が、さらに、前記送出された制御信号に基づいて、表示されている文字情報又は画像情報を非表示にする
ことを特徴とする情報表示装置。
【請求項４】
請求項１に記載の情報表示装置において、
前記判断処理手段が、さらに、前記電子ペーパー又は前記認証装置についての機器認証処理を行い、前記位置認証処理結果と前記機器認証処理結果とに基づいて、前記制御信号を送出する
ことを特徴とする情報表示装置。
【請求項５】
請求項１に記載の情報表示装置が、さらに、
複数の前記第１及び第２の位置検知手段を備え、
前記判断処理手段が、前記複数の前記第１及び第２の位置検知手段によって検知された前記電子ペーパーと前記認証装置との間の相対的な位置が所定の関係にあるかを判断する位置認証処理を行う
ことを特徴とする情報表示装置。
【請求項６】
請求項５に記載の情報表示装置において、
前記複数の第１及び第２の位置検知手段が、さらに、各ＲＦＩＤタグリーダが前記各ＲＦＩＤタグリーダに対応する一つの前記ＲＦＩＤタグの識別情報を読み取るように制御する読み取り制御手段を備える
ことを特徴とする情報表示装置。
【請求項７】
請求項６に記載の情報表示装置において、
前記読み取り制御手段が、前記各ＲＦＩＤタグリーダが前記ＲＦＩＤタグの識別情報を読み取る際の所定の読み取りパターンに従って、前記各ＲＦＩＤタグリーダによる前記ＲＦＩＤタグの識別情報の読み取りを制御する
ことを特徴とする情報表示装置。
【請求項８】
請求項６に記載の情報表示装置において、
前記読み取り制御手段が、前記各ＲＦＩＤタグリーダが前記ＲＦＩＤタグに対して発する起電電波を吸収する電波吸収手段、又は、前記各ＲＦＩＤタグリーダが前記ＲＦＩＤタグに対して発する起電電波を反射する電波反射手段を備える
ことを特徴とする情報表示装置。
【請求項９】
請求項６に記載の情報表示装置において、
前記読み取り制御手段が、前記ＲＦＩＤタグリーダが複数の前記ＲＦＩＤタグの識別情報を読み取った場合に前記ＲＦＩＤタグリーダが発する起電電波の強さを変更する
ことを特徴とする情報表示装置。
【請求項１０】
請求項６に記載の情報表示装置において、
前記読み取り制御手段が、複数の前記ＲＦＩＤタグの識別情報が前記ＲＦＩＤタグリーダによって読み取られた場合に、複数の前記ＲＦＩＤタグの識別情報のうち、前記ＲＦＩＤタグリーダが読み取ったＲＦＩＤタグの識別情報を確定する
ことを特徴とする情報表示装置。
【請求項１１】
電子ペーパーと前記電子ペーパーを認証する認証装置とからなる情報表示装置における情報表示方法であって、
前記電子ペーパーと前記認証装置とが重ねられた場合の前記電子ペーパーと前記認証装置との間の相対的な位置を、ＲＦＩＤタグ及び前記ＲＦＩＤタグの識別情報を読み取るＲＦＩＤタグリーダを用いて検知し、
前記検知された前記相対的な位置が所定の関係にあるかを判断する位置認証処理を行い、前記位置認証処理結果に基づいて、前記電子ペーパー又は前記認証装置に対して制御信号を送出し、
前記送出された制御信号に基づいて、前記電子ペーパー上又は前記認証装置上に文字情報又は画像情報を表示する
ことを特徴とする情報表示方法。
【発明の詳細な説明】
【技術分野】
【０００１】
本発明は、情報表示装置及び情報表示方法に関し、特に、簡便な操作でセキュリティ確保のための認証を行って、電子ペーパー上へ情報を表示し、又は電子ペーパー上に表示された情報を非表示にする情報表示装置及び情報表示方法に関する。
【背景技術】
【０００２】
近年、紙の長所と電子ディスプレイの長所とを併せ持つ電子ペーパーが研究開発されてきている。電子ペーパー上に情報を表示した状態にしておくと、他者の目に触れ、情報が漏洩してしまう危険がある。例えば、電子ペーパーを本社から営業所等に持ち運ぶ場合や、電子ペーパーを家に持ち込んで在宅業務を実施する場合に、移動途中で電子ペーパーを紛失したり、盗難にあう危険がある。その時、機密データが電子ペーパー上に表示されているか、又はその内容を容易に表示できる仕組みになっていると、情報漏洩してしまう危険がある。【０００３】
個人情報が記載された履歴書、契約書、アンケート、カルテ等、不用意に他者の目に触れないように扱う文書は多い。近い将来、電子ペーパーが汎用的に流通するようになった場合、情報が常に表示された状態になる紙に対して、必要に応じて情報を非表示にすることが可能な電子ペーパーのニーズが多くなると考えられることから、セキュリティ機能を持った電子ペーパーが研究されてきている。セキュリティ機能を持った電子ペーパーでは、例えば、パスワード入力、生体認証等の認証操作を行った上で、保存された情報の表示指示を行う。【０００４】
なお、下記の特許文献１は、登録した秘密データを外部へ送出する場合に認証操作を要求し、認証が正しい場合にのみ秘密データを外部へ送出できるようにする電子ペーパーについて記載している。
【特許文献１】特開２００５−１１５５３０号公報
【発明の開示】
【発明が解決しようとする課題】
【０００５】
本発明者の検討したところによれば、電子ペーパー上に情報を表示したり、電子ペーパー上に表示された情報を非表示にしたりする際の認証操作は、なるべく簡便な操作である事が望ましい。電子ペーパーが薄い形状を有している点や、電子ペーパーが一般のＰＣ（Personal Computer)より低価格になり得ることを考慮すると、電子ペーパーは、将来、全ての人々が利用する可能性がある。誰もが利用する電子ペーパーであれば、情報の参照操作が実施し易くなければならず、また、セキュリティを確保するための認証操作は簡便であることが要求される。【０００６】
また、本発明者の検討したところによれば、従来の電子ペーパーは、セキュリティ確保のために、パスワードによる認証や、電子ペーパーのユーザの生体情報を用いた生体認証等を行っているため、キーボード等からのパスワード入力又は煩雑な生体情報等の事前登録等が必要であり、利便性が阻害されるという問題がある。そこで、電子ペーパー上に情報を表示したり、電子ペーパー上に表示された情報を非表示にしたりする際の認証操作を簡便に行う仕組みが求められる。【０００７】
本発明は、簡便な操作でセキュリティ確保のための認証を行って、認証結果に応じて電子ペーパーへの情報の表示又は非表示を行う情報表示装置の提供を目的とする。【０００８】
また、本発明は、簡便な操作でセキュリティ確保のための認証を行って、認証結果に応じて電子ペーパーへの情報の表示又は非表示を行う情報表示方法の提供を目的とする。
【課題を解決するための手段】
【０００９】
本発明の情報表示装置は、電子ペーパーと前記電子ペーパーを認証する認証装置とからなる情報表示装置であって、前記電子ペーパー及び前記認証装置に備えられ、前記電子ペーパーと前記認証装置とが重ねられた場合の前記電子ペーパーと前記認証装置との間の相対的な位置を検知する第１及び第２の位置検知手段と、前記第１及び第２の位置検知手段によって検知された前記相対的な位置が所定の関係にあるかを判断する位置認証処理を行い、前記位置認証処理結果に基づいて、前記電子ペーパー又は前記認証装置に対して制御信号を送出する判断処理手段と、前記送出された制御信号に基づいて、前記電子ペーパー上又は前記認証装置上に文字情報又は画像情報を表示する情報表示手段とを備え、前記第１及び第２の位置検知手段が、ＲＦＩＤタグ及び前記ＲＦＩＤタグの識別情報を読み取るＲＦＩＤタグリーダからなる。【００１０】
また、好ましくは、本発明の情報表示装置において、前記情報表示手段が、前記電子ペーパーと前記認証装置とを重ねるべき領域を示す画像である配置画像を前記電子ペーパー上又は前記認証装置上に表示し、前記判断処理手段が、前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する。【００１１】
また、好ましくは、本発明の情報表示装置が、さらに、複数の前記第１及び第２の位置検知手段を備え、前記判断処理手段が、前記複数の前記第１及び第２の位置検知手段によって検知された前記電子ペーパーと前記認証装置との間の相対的な位置が所定の関係にあるかを判断する位置認証処理を行う。【００１２】
また、好ましくは、本発明の情報表示装置において、前記複数の第１及び第２の位置検知手段が、さらに、各ＲＦＩＤタグリーダが前記各ＲＦＩＤタグリーダに対応する一つの前記ＲＦＩＤタグの識別情報を読み取るように制御する読み取り制御手段を備える。【００１３】
また、本発明の情報表示方法は、電子ペーパーと前記電子ペーパーを認証する認証装置とからなる情報表示装置における情報表示方法であって、前記電子ペーパーと前記認証装置とが重ねられた場合の前記電子ペーパーと前記認証装置との間の相対的な位置を、ＲＦＩＤタグ及び前記ＲＦＩＤタグの識別情報を読み取るＲＦＩＤタグリーダを用いて検知し、前記検知された前記相対的な位置が所定の関係にあるかを判断する位置認証処理を行い、前記位置認証処理結果に基づいて、前記電子ペーパー又は前記認証装置に対して制御信号を送出し、前記送出された制御信号に基づいて、前記電子ペーパー上又は前記認証装置上に文字情報又は画像情報を表示する。
【発明の効果】
【００１４】
本発明の情報表示装置及び情報表示方法は、電子ペーパーと認証装置とが重ねられた場合において、ＲＦＩＤタグ及びＲＦＩＤタグリーダによって検知された、電子ペーパーと認証装置との間の相対的な位置が、所定の関係にあるときに、電子ペーパー上又は認証装置上に文字情報又は画像情報を表示する。従って、電子ペーパーと認証装置とを重ねることで、電子ペーパー上又は認証装置上に文字情報又は画像情報を表示することができる。この結果、電子ペーパーと認証装置とを重ねるという簡便な操作でセキュリティ確保のための認証を行って、認証結果に応じて電子ペーパー上又は認証装置上への情報の表示を行うことが可能となる。また、電子ペーパーと認証装置との位置関係を所定の相対的な位置とした場合にのみ電子ペーパー上又は認証装置上に情報を表示するので、セキュリティ強度を高くすることができ、情報漏洩が生ずる危険を少なくすることができる。【００１５】
また、本発明の情報表示装置は、配置画像を電子ペーパー上又は認証装置上に表示し、配置画像に認証装置又は電子ペーパーが重ねられた場合に、電子ペーパー上又は認証装置上に文字情報又は画像情報を表示する。従って、情報表示装置のユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。また、電子ペーパーを認証装置に単純に重ねただけでは、電子ペーパー上又は認証装置上に情報が表示されないようにすることができる。従って、例えば、ユーザが、電子ペーパーと認証装置とを重ねて、カバン、袋、引き出し又は保存用のバインダー等に保管収容しようとする際に、ユーザの意志に反して電子ペーパーに情報が表示されることがないようにすることができる。【００１６】
また、本発明の情報表示装置は、電子ペーパーと認証装置とが重ねられた場合において、複数のＲＦＩＤタグ及びＲＦＩＤタグリーダによって検知された、電子ペーパーと認証装置との間の相対的な位置が、所定の関係にあるときに、電子ペーパー上又は認証装置上に文字情報又は画像情報を表示する。この結果、複数のＲＦＩＤタグ及びＲＦＩＤタグリーダによって検知された電子ペーパーと認証装置との位置関係を所定の相対的な位置とした場合にのみ電子ペーパー上又は認証装置上に情報を表示するので、セキュリティ強度をさらに高くすることができ、情報漏洩が生ずる危険をさらに少なくすることができる。【００１７】
また、本発明の情報表示装置は、各ＲＦＩＤタグリーダが各ＲＦＩＤタグリーダに対応する一つのＲＦＩＤタグの識別情報を読み取るように制御する。従って、一つのＲＦＩＤタグリーダが複数のＲＦＩＤタグの識別情報を読み取ってしまうことを防ぐことが可能となる。この結果、電子ペーパー又は認証装置についての位置認証処理を正しく実行することが可能となる。
【図面の簡単な説明】
【００１８】
【図１】本発明のシステム構成の一例を示す図である。
【図２】判断処理手段の機能の一例を説明する図である。
【図３】電子ペーパーへの情報の表示処理の概要を説明する図である。
【図４】電子ペーパーへの情報の非表示処理の概要を説明する図である。
【図５】情報表示装置におけるデータ処理の一例を示す図である。
【図６】電子ペーパーの構造の一例を示す図である。
【図７】認証装置の構造の一例を示す図である。
【図８】電子ペーパーと認証装置の断面の一例を示す図である。
【図９】ＲＦＩＤタグのＩＤ番号の読み取り処理を説明する図である。
【図１０】位置検知処理の一例を説明する図である。
【図１１】位置検知処理の一例を説明する図である。
【図１２】ＲＦＩＤタグリーダによるＲＦＩＤタグのＩＤ番号の読み取り動作例を示す図である。
【図１３】ＲＦＩＤタグリーダによるＲＦＩＤタグのＩＤ番号の読み取り動作例を示す図である。
【図１４】電子ペーパーの構造の一例を示す図である。
【図１５】電子ペーパーの構造の一例を示す図である。
【図１６】認証装置と電子ペーパーの断面を示す図である。
【図１７】ＲＦＩＤタグリーダによるＲＦＩＤタグのＩＤ番号の読み取り動作の一例を示す図である。
【図１８】ＲＦＩＤタグリーダによるＲＦＩＤタグのＩＤ番号の読み取り動作の一例を示す図である。
【図１９】ＲＦＩＤタグリーダによるＲＦＩＤタグのＩＤ番号の読み取り動作の一例を示す図である。
【図２０】ＲＦＩＤタグリーダと読み取りパターンテーブルの一例を示す図である。
【図２１】ＲＦＩＤタグリーダによるＲＦＩＤタグのＩＤ番号の読み取り処理フローの一例を示す図である。
【図２２】ＲＦＩＤタグリーダによるＲＦＩＤタグのＩＤ番号の再読み取り処理フローの一例を示す図である。
【図２３】ＲＦＩＤタグリーダが読み取ったＲＦＩＤタグの識別番号を確定する処理を説明する図である。
【図２４】認証装置による表示指示情報送出処理フローの一例を示す図である。
【図２５】ＲＦＩＤタグのＩＤ番号の読み取り処理フローの一例を示す図である。
【図２６】読み取り結果テーブルの一例を示す図である。
【図２７】読み取り結果テーブルの一例を示す図である。
【図２８】読み取り結果テーブルの格納値確定処理フローの一例を示す図である。
【図２９】読み取り結果テーブルの一例を示す図である。
【図３０】読み取り結果テーブルにおいて、識別番号ｉのＲＦＩＤタグリーダが読み取ったＩＤ番号のうちの最小値が格納されている列を特定する処理を説明する図である。
【図３１】読み取り結果テーブルにおける第ｉ行の格納値のうち、第ｉ＿ＭＩＮ列の格納値以外の格納値を０に設定する処理を説明する図である。
【図３２】読み取り結果テーブルにおける第ｉ行の次の行〜最終行において、ＴＢＬ＿ＴＧ（Ｊ）と同じ値が格納された列を０クリアする処理を説明する図である。
【図３３】タグ確定有無テーブルの一例を示す図である。
【図３４】位置認証処理の一例を示す図である。
【図３５】位置認証テーブルの一例を示す図である。
【符号の説明】
【００１９】
１  情報表示装置
２  電子ペーパー
２−１、３−１  表面
２−２、３−２  中面第一層
２−３、３−３  中面第二層
２−４、３−４  裏面
２−５  中面第三層
３  認証装置
２１、３１  位置検知手段
２１−１、２１−２、２１−３  ＲＦＩＤタグ
２２、３２  情報表示手段
２３、３３  判断処理手段
２４、３４  情報記憶手段
２５、３５  情報送受信手段
２６、３６  電力供給手段
４０  電波吸収手段
４１  電波反射手段
２００  無線ＬＡＮカード
２０１  ＴＣＧチップ
２０２  電磁誘導コイル
【発明を実施するための最良の形態】
【００２０】
図１は、本発明のシステム構成の一例を示す図である。情報表示装置１は、電子ペーパー２又は認証装置３に情報を表示し、又は、電子ペーパー２又は認証装置３に表示された情報を非表示にする処理装置である。情報表示装置１は、電子ペーパー２と電子ペーパー２を認証する認証装置３とからなる。情報表示装置１は、第１及び第２の位置検知手段（位置検知手段２１及び位置検知手段３１）と、判断処理手段（判断処理手段２３又は判断処理手段３３）と、情報表示手段（情報表示手段２２又は情報表示手段３２）とを備える。第１及び第２の位置検知手段は、電子ペーパー２及び認証装置３に備えられ、電子ペーパー２と認証装置３とが重ねられた場合の電子ペーパー２と認証装置３との間の相対的な位置を検知する。また、第１及び第２の位置検知手段（位置検知手段２１及び位置検知手段３１）が、ＲＦＩＤタグ及び当該ＲＦＩＤタグの識別情報を読み取るＲＦＩＤタグリーダからなる。ＲＦＩＤタグの識別情報とは、ＲＦＩＤタグ内に格納された、当該ＲＦＩＤタグを一意に識別する情報（例えば、当該ＲＦＩＤタグの識別番号）である。判断処理手段は、第１及び第２の位置検知手段（位置検知手段２１及び位置検知手段３１）によって検知された当該相対的な位置が所定の関係にあるかを判断する位置認証処理を行い、位置認証処理結果に基づいて、電子ペーパー２又は認証装置３に対して制御信号を送出する。情報表示手段は、送出された制御信号に基づいて、電子ペーパー２上又は認証装置３上に文字情報又は画像情報を表示する。【００２１】
この例では、情報表示装置１において、上記情報表示手段（情報表示手段２２又は情報表示手段３２）が、電子ペーパー２と認証装置３とを重ねるべき領域を示す画像である配置画像を電子ペーパー２上又は認証装置３上に表示する。配置画像とは、電子ペーパー２と認証装置３とを重ねるべき領域（又は両者の相対的な位置）を示す配置情報である。この例では、上記判断処理手段（判断処理手段２３又は判断処理手段３３）が、電子ペーパー２の配置画像が表示される領域に認証装置３が重ねられた場合、又は、認証装置３の配置画像が表示される領域に電子ペーパー２が重ねられた場合、電子ペーパー２又は認証装置３に対して制御信号を送出する。すなわち、表示された配置情報に従うように、電子ペーパー２と認証装置３の相対的な位置が定められた場合に、制御信号を送出する。【００２２】
また、情報表示装置１が、複数の第１及び第２の位置検知手段（位置検知手段２１及び位置検知手段３１）を備え、判断処理手段（判断処理手段２３又は判断処理手段３３）が、当該複数の前記第１及び第２の位置検知手段（位置検知手段２１及び位置検知手段３１）によって検知された電子ペーパー２と認証装置３との間の相対的な位置が所定の関係にあるかを判断する位置認証処理を行うようにしてもよい。また、複数の第１及び第２の位置検知手段（位置検知手段２１及び位置検知手段３１）が、さらに、各ＲＦＩＤタグリーダが各ＲＦＩＤタグリーダに対応する一つのＲＦＩＤタグの識別情報を読み取るように制御する読み取り制御手段を備えてもよい。【００２３】
電子ペーパー２は、文書や画像を書き換えて表示することが可能な、紙のように薄い表示媒体である。電子ペーパー２は、位置検知手段２１と情報表示手段２２とを備える。位置検知手段２１は、認証装置３に重ねられた電子ペーパー２の位置を認証装置３に検知させる。情報表示手段２２は、認証装置３の判断処理手段３３又は後述する電子ペーパー２の判断処理手段２３から送出される制御信号（表示指示情報又は非表示指示情報）に基づいて、電子ペーパー２上への文字情報又は画像情報の表示処理、又は、電子ペーパー２上に表示されている文字情報又は画像情報の非表示処理を行う。位置検知手段２１は、電子ペーパー２が認証装置３に重ねられた場合の認証装置３の位置を検知するようにしてもよい。また、表示指示情報とは、文字情報や画像情報の表示を指示する情報であり、非表示指示情報とは、文字情報や画像情報の非表示を指示する情報である。情報表示手段２２は、例えば、表示指示情報に従って、有色の液体と白色微粒子が入ったマイクロカプセルに対して電圧を印加して、白色微粒子を電気泳動させて、情報を表示する。なお、情報表示手段２２は、情報表示手段２２が内蔵するメモリチップ等の記憶手段に記憶された情報を表示するようにしてもよいし、後述する情報記憶手段２４内に記憶された情報を表示するようにしてもよい。また、情報表示手段２２は、電子ペーパー２を認証装置３に重ねる領域を示す画像である配置画像を表示するようにしてもよい。【００２４】
認証装置３は、電子ペーパー２に情報を表示する際、又は、電子ペーパー２に表示された情報を非表示にする際の認証を行う。認証装置３は、位置検知手段３１と判断処理手段３３とを備える。位置検知手段３１は、認証装置３上に重ねられた電子ペーパー２の位置を検知する。判断処理手段３３は、位置検知手段３１によって検知された電子ペーパー２の位置（電子ペーパー２と認証装置３との相対的な位置）が所定の位置であるか（電子ペーパー２と認証装置３との相対的な位置が所定の関係にあるか）を判断する位置認証処理を行い、当該位置認証処理結果に基づいて、電子ペーパー２又は認証装置３の情報表示手段３２に対して制御信号（表示指示情報又は非表示指示情報）を送出する。判断処理手段３３による位置認証処理によって、電子ペーパー２の位置が認証されれば、電子ペーパー２が認証装置３上の所定の位置に正しく配置されたこととなる。位置検知手段３１は、電子ペーパー２が認証装置３に重ねられた場合の認証装置３の位置を電子ペーパー２に検知させるようにしてもよい。なお、本発明の一実施形態によれば、情報表示装置１のユーザは、例えばキーボード等の入力手段（図示を省略）を用いて、制御選択情報を判断処理手段３３に設定することができる。制御選択情報とは、判断処理手段３３に対して、当該判断処理手段３３が後述する表示指示情報又は非表示指示情報のいずれを制御信号として送出するかを指示する情報である。【００２５】
電子ペーパー２が備える位置検知手段２１は、例えばＲＦＩＤ（Radio Frequency Identification）タグである。また、認証装置３が備える位置検知手段３１は、例えばＲＦＩＤタグリーダである。また、位置検知手段３１が、さらに、各ＲＦＩＤタグリーダが各ＲＦＩＤタグリーダに対応する一つのＲＦＩＤタグの識別番号を読み取るように制御する、後述する図１３（Ａ）等を参照して説明する読み取り制御手段を備えるようにしてもよい。【００２６】
本発明の一実施形態によれば、図１に示すように、認証装置３が、電子ペーパー２を認証装置３に重ねる領域を示す画像である配置画像を認証装置３上に表示する情報表示手段３２を備えるようにしてもよい。また、情報表示手段３２は、電子ペーパー２の判断処理手段２３又は自装置（認証装置３）内の判断処理手段３３から送出された制御信号に基づいて、認証装置３上に文字情報又は画像情報を表示し、又は表示されている文字情報等を非表示にしてもよい。なお、情報表示手段３２は、情報表示手段３２が内蔵するメモリチップ等の記憶手段に記憶された情報を表示するようにしてもよいし、後述する情報記憶手段３４内に記憶された情報を表示するようにしてもよい。【００２７】
また、認証装置３が備える判断処理手段３３は、電子ペーパー２についての機器認証処理を行い、機器認証処理結果と前述した位置認証処理結果とに基づいて、電子ペーパー２又は情報表示手段３２に対して制御信号を送出するようにしてもよい。また、判断処理手段３３は、認証装置３内のハードウェアやソフトウェアの環境状態の認証（環境認証）処理を行い、前述した位置認証処理結果と機器認証処理結果と環境認証処理結果とに基づいて、電子ペーパー２又は情報表示手段３２に対して制御信号を送出するようにしてもよい。また、判断処理手段３３は、電子ペーパー２についての機器認証処理結果と、後述する電子ペーパー２の判断処理手段２３が行う認証装置３についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、電子ペーパー２又は情報表示手段３２に対して制御信号を送出するようにしてもよい。なお、判断処理手段３３は、自装置（認証装置３）についての機器認証処理を行い、当該機器認証処理結果と前述した位置認証処理結果とに基づいて、電子ペーパー２又は情報表示手段３２に対して制御信号を送出するようにしてもよい。【００２８】
また、本発明の一実施形態によれば、図１に示すように、電子ペーパー２が、さらに、判断処理手段２３を備えてもよい。この場合、判断処理手段２３は、位置検知手段２１によって検知された認証装置３の位置（電子ペーパー２と認証装置３との相対的な位置）が所定の位置であるか（電子ペーパー２と認証装置３との相対的な位置が所定の関係にあるか）を判断する位置認証処理を行い、当該位置認証処理結果に基づいて、認証装置３又は電子ペーパー２の情報表示手段２２に対して制御信号（表示指示情報又は非表示指示情報）を送出する。なお、本発明の一実施形態によれば、情報表示装置１のユーザは、例えばキーボード等の入力手段（図示を省略）を用いて、制御選択情報を判断処理手段２３に設定することができる。当該制御選択情報は、判断処理手段２３に対して、当該判断処理手段２３が表示指示情報又は非表示指示情報のいずれを制御信号として送出するかを指示する情報である。判断処理手段２３は、認証装置３についての機器認証処理を行い、機器認証処理結果と前述した位置認証処理結果とに基づいて、認証装置３又は情報表示手段２２に対して制御信号を送出するようにしてもよい。また、判断処理手段２３は、電子ペーパー２内のハードウェアやソフトウェアの環境状態の認証（環境認証）処理を行い、前述した位置認証処理結果と機器認証処理結果と環境認証処理結果とに基づいて、認証装置３又は情報表示手段２２に対して制御信号を送出するようにしてもよい。また、判断処理手段２３は、認証装置３についての機器認証処理結果と、認証装置３の判断処理手段３３が行う電子ペーパー２についての機器認証処理結果とに基づいて、電子ペーパー２と認証装置３とが相互に機器認証されたかを判断し、上記位置認証処理結果と、電子ペーパー２と認証装置３とが相互に機器認証されたかについての判断結果とに基づいて、認証装置３又は情報表示手段２２に対して制御信号を送出するようにしてもよい。なお、判断処理手段２３は、自装置（電子ペーパー２）についての機器認証処理を行い、当該機器認証処理結果と前述した位置認証処理結果とに基づいて、認証装置３又は情報表示手段２２に対して制御信号を送出するようにしてもよい。【００２９】
また、本発明の一実施形態によれば、図１に示すように、電子ペーパー２は、情報記憶手段２４、情報送受信手段２５を備えてもよい。また、認証装置３は、情報記憶手段２４と同様の構成である情報記憶手段３４、情報送受信手段２５と同様の構成である情報送受信手段３５を備えてもよい。情報記憶手段２４は、情報表示手段２２によって表示される情報や、判断処理手段２３が送出する表示指示情報等を記憶する。情報記憶手段２４に記憶される情報は、例えば、文字情報、画像情報、機器ＩＤ情報、表示指示情報、非表示指示情報、配置画像情報等である。機器ＩＤ情報は、電子ペーパー２の識別情報や認証装置３の識別情報である。情報送受信手段２５は、認証装置３から送信される情報（例えば、認証装置３の機器ＩＤ情報、表示指示情報、非表示指示情報、配置画像情報、情報表示手段２２による表示対象である文字情報や画像情報等）を受信し、受信した情報を情報記憶手段２４内に記憶する。また、情報送受信手段２５は、認証装置３に対して情報を送信する。認証装置３に対して送信される情報は、例えば、電子ペーパー２の機器ＩＤ情報、表示指示情報、非表示指示情報、配置画像情報、情報表示手段３２による表示対象である文字情報や画像情報等である。【００３０】
認証装置３が備える情報記憶手段３４は、情報表示手段３２によって表示される情報や、判断処理手段３３が送出する表示指示情報等を記憶する。情報送受信手段３５は、電子ペーパー２から送信される情報を受信し、情報記憶手段３４内に記憶する。また、情報送受信手段３５は、電子ペーパー２に対して情報（例えば、認証装置３の機器ＩＤ情報、表示指示情報、非表示指示情報、配置画像情報、情報表示手段２２による表示対象である文字情報や画像情報等）を送信する。【００３１】
また、本発明の一実施形態によれば、最終的に電子ペーパー２に表示される全ての情報を、電子ペーパー２が備える情報記憶手段２４内に記憶してもよいし、認証装置３が備える情報記憶手段３４内に記憶してもよい。また、最終的に電子ペーパー２に表示される情報を、電子ペーパー２が備える情報記憶手段２４と認証装置３が備える情報記憶手段３４とに分けて記憶してもよい。同様に、本発明の一実施形態によれば、最終的に認証装置３に表示される全ての情報を、認証装置３が備える情報記憶手段３４に記憶してもよいし、電子ペーパー２が備える情報記憶手段２４に記憶してもよい。また、最終的に認証装置３に表示される情報を、認証装置３が備える情報記憶手段３４と電子ペーパー２が備える情報記憶手段２４とに分けて記憶してもよい。【００３２】
なお、図１では図示を省略するが、電子ペーパー２及び認証装置３は、それぞれ、例えば、二次電池、小型ボタン電池、太陽電池等の電力供給手段を備えてもよい。【００３３】
上述した電子ペーパー２又は認証装置３が備える各処理手段の機能は、ＣＰＵとその上で実行されるプログラムにより実現される。【００３４】
図２は、判断処理手段の機能の一例を説明する図である。ここでは、認証装置３が備える判断処理手段３３の機能を例にとって説明する。電子ペーパー２が備える判断処理手段２３の機能は、判断処理手段３３の機能と同様であるので、説明を省略する。前述したように、判断処理手段３３は、例えば、位置検知手段３１による位置検知結果に基づいて、電子ペーパー２についての位置認証処理を行う。また、判断処理手段３３は、例えば、電子ペーパー２から送信される機器ＩＤ情報に基づいて、電子ペーパー２の機器認証を行う。電子ペーパー２から送信される機器ＩＤ情報は、例えば、電子ペーパー２が備える判断処理手段２３を実現するＴＣＧ（Trusted Computing Group)チップ内に記憶されている。また、判断処理手段３３は、前述したように、例えば、認証装置３内のハードウェアやソフトウェアの環境状態の認証（環境認証）を行う。上述した機能を備える判断処理手段３３は、例えば、上述したＴＣＧチップ等によって実現される。【００３５】
図３は、電子ペーパーへの情報の表示処理の概要を説明する図である。電子ペーパー２に、文字情報や画像情報等が表示されていない状態を想定する。認証装置３は、図３中に示す配置画像３０を表示する。図３中の矢印の先に示すように、ユーザが電子ペーパー２を認証装置３上に表示された配置画像３０の上に正しく重ねると、電子ペーパー２に文字情報や画像情報等が表示される。【００３６】
図４は、電子ペーパーへの情報の非表示処理の概要を説明する図である。電子ペーパー２に、文字情報や画像情報等が表示されている状態を想定する。認証装置３は、図４中に示す配置画像３０を表示する。図４中の矢印の先に示すように、ユーザが電子ペーパー２を認証装置３に表示された配置画像３０の上に正しく重ねると、電子ペーパー２に表示されていた文字情報や画像情報等が非表示になる。【００３７】
図５は、本発明の一実施形態による情報表示装置におけるデータ処理の一例を示す図である。電子ペーパー２の情報送受信手段２５が、認証装置３から情報（例えば、認証装置３の機器ＩＤ情報、表示指示情報、非表示指示情報、配置画像情報、情報表示手段２２によって表示される文字情報や画像情報等）を受信する。受信された情報は、情報記憶手段２４に記憶される。電子ペーパー２の判断処理手段２３が、位置検知手段２１による位置検知結果に基づいて位置認証処理を行う。また、判断処理手段２３が、例えば、情報記憶手段２４内に記憶された、認証装置３の機器ＩＤ情報に基づいて、認証装置３についての機器認証を行う。そして、判断処理手段２３は、位置認証処理結果と認証装置３についての機器認証処理結果と、自装置（電子ペーパー２）についての環境認証処理結果とに基づいて、情報表示手段２２に対して制御信号を送出する。判断処理手段２３が情報表示手段２２に対して送出する制御信号は、認証装置３から受信した表示指示情報又は非表示指示情報であってもよい。認証装置３内におけるデータの流れは、上述した電子ペーパー２内におけるデータ処理と同様であるので、説明を省略する。【００３８】
図６は、電子ペーパーの構造の一例を示す図である。図６に示すように、電子ペーパー２は、表面２−１、中面第一層２−２、中面第二層２−３、裏面２−４という層構造を有する。電子ペーパー２の表面２−１には、情報表示手段２２が設けられる。中面第一層２−２には、無線ＬＡＮカード２００等を備える情報送受信手段２５、ＴＣＧチップ２０１等を備える判断処理手段２３、情報記憶手段２４、電力供給手段２６が設けられる。なお、電力供給手段２６は、例えば、二次電池、小型ボタン電池、太陽電池、電磁誘導による電力発生コイル等である。中面第二層２−３には、位置検知手段２１として、例えばＲＦＩＤタグが設けられる。なお、裏面２−４はカバーとして機能する。【００３９】
図７は、認証装置の構造の一例を示す図である。図７に示すように、認証装置３は、表面３−１、中面第一層３−２、中面第二層３−３、裏面３−４という層構造を有する。認証装置３の表面３−１には、情報表示手段３２が設けられる。中面第一層３−２には、位置検知手段３１と電磁誘導コイル２０２とが設けられる。位置検知手段３１は、例えば、ＲＦＩＤタグリーダである。当該ＲＦＩＤタグリーダは、例えば、図１２に示す電子ペーパー２の中面第二層２−３に設けられるＲＦＩＤタグの識別番号（ＩＤ番号）を読み取る。電磁誘導コイル２０２は、例えば認証装置３が電磁誘導によって電子ペーパー２に電力を供給する場合に設置される。中面第二層３−３には、無線ＬＡＮカード２００等を備える情報送受信手段３５、ＴＣＧチップ２０１等を備える判断処理手段３３、情報記憶手段３４、電力供給手段３６が設置される。電力供給手段３６は、例えば、二次電池、小型ボタン電池、太陽電池、電磁誘導による電力発生コイル等である。なお、裏面３−４はカバーとして機能する。【００４０】
図８は、電子ペーパーと認証装置の断面の一例を示す図である。図８に示す電子ぺーパー２の位置検知手段２１は、例えばＲＦＩＤタグである。また、認証装置３の位置検知手段３１は、例えばＲＦＩＤタグリーダである。図８は、電子ペーパー２が認証装置３上に重ねられた例を示す。図８に示すＲＦＩＤタグリーダ（位置検知手段）３１が、起電電波をＲＦＩＤタグ（位置検知手段）２１に対して発信する。ＲＦＩＤタグリーダ３１から当該起電電波を受けたＲＦＩＤタグ２１が、ＲＦＩＤタグ２１のＩＤ番号を含む信号電波をＲＦＩＤタグリーダ３１に対して返し、ＲＦＩＤタグリーダ３１がＲＦＩＤタグ２１のＩＤ番号を読み取る。【００４１】
例えば、図９に示すように、ＩＤ番号がＡ１のＲＦＩＤタグ２１−１、ＩＤ番号がＡ２のＲＦＩＤタグ２１−２、ＩＤ番号がＡ３のＲＦＩＤタグ２１−３という３個のＲＦＩＤタグ２１を備える電子ペーパー２が、４８個のＲＦＩＤタグリーダ３１を備える認証装置３上に重ねられる。電子ペーパー２は、認証装置３上において、図９中の矢印の先に示すような位置に配置される。図９中、認証装置３内のＲＦＩＤタグリーダ３１内に記述された番号は、ＲＦＩＤタグリーダ３１の識別番号である。図９に示すように、ＩＤ番号がＡ１のＲＦＩＤタグ２１−１は識別番号が１４のＲＦＩＤタグリーダ３１上に配置され、ＩＤ番号がＡ２のＲＦＩＤタグ２１−２は識別番号が２０のＲＦＩＤタグリーダ３１上に配置され、ＩＤ番号がＡ３のＲＦＩＤタグ２１−３は識別番号が１５のＲＦＩＤタグリーダ３１上に配置されている。従って、例えば、識別番号が１４のＲＦＩＤタグリーダ３１はＡ１というＩＤ番号を読み取り、識別番号が１５のＲＦＩＤタグリーダ３１はＡ３というＩＤ番号を読み取り、識別番号２０のＲＦＩＤタグリーダ３１はＡ２というＩＤ番号を読み取る。【００４２】
図８に戻って、認証装置３内のＴＣＧチップ２０１が、各ＲＦＩＤタグリーダ３１が読み取ったＩＤ番号が、予め設定されたＲＦＩＤタグのＩＤ番号であって、電子ペーパー２が正しく認証装置３の配置画像上に重ねられた場合に各ＲＦＩＤタグリーダ３１が読み取るべきＲＦＩＤタグのＩＤ番号と合致するかを判断する。各ＲＦＩＤタグリーダ３１が読み取ったＩＤ番号が、上記の予め設定されたＩＤ番号と合致する場合は、ＴＣＧチップ２０１は、電子ペーパー２の位置を認証する。なお、本発明の一実施形態によれば、図８において、電子ペーパー２が位置検知手段２１としてＲＦＩＤタグリーダを備え、認証装置３が位置検知手段３１としてＲＦＩＤタグを備えてもよい。【００４３】
図１０（Ａ）及び図１０（Ｂ）、図１１（Ａ）〜図１１（Ｃ）は、本発明の一実施形態による位置検知処理の一例を説明する図である。図１０（Ａ）に示すように、電子ペーパー２の中面第二層２−３には、ＲＦＩＤタグ２１が設けられている。なお、中面第二層２−３は、辺ａａ’が表面２−１の辺ｄｄ’と重なり、辺ｂｂ’が表面２−１の辺ｃｃ’と重なるように、表面２−１の背後に設けられる。また、図１０（Ｂ）に示す認証装置３には、例えばＲＦＩＤタグリーダ３１（図示を省略）が設けられている。図１０（Ａ）に示される電子ペーパー２の表面２−１を図１０（Ｂ）に示す認証装置３上に表示された配置画像３０上に重ねると、電子ペーパー２は、図１１（Ａ）に示すように認証装置３の上に重なる。図１１（Ｂ）は、図１１（Ａ）に示される電子ペーパー２と認証装置３との重なり状態を、電子ペーパー２の下に隠れた認証装置３のＲＦＩＤタグリーダ３１が透けて見える形式で示す図である。図１１（Ｂ）に示す状態で電子ペーパー２が上に重なっている認証装置３においては、例えば、図１０（Ａ）に示す電子ペーパー２の中面第二層２−３に設けられたＲＦＩＤタグ２１に近接するＲＦＩＤタグリーダ３１がＲＦＩＤタグ２１からの信号電波を検知する。図１１（Ｃ）は、図１１（Ｂ）に示すような状態で電子ペーパー２が上に重なっている認証装置３を示す図である。例えば、図１１（Ｃ）中の、黒く塗りつぶした部分に示すＲＦＩＤタグリーダ３１が、ＲＦＩＤタグ２１のＩＤ番号を読み取る。認証装置３は、ＲＦＩＤタグ２１のＩＤ番号を読み取ったＲＦＩＤタグリーダ３１が、予め設定されたＲＦＩＤタグリーダであって、電子ペーパー２が正しく認証装置３の配置画像３０上に重ねられた場合にＲＦＩＤタグ２１のＩＤ番号を読み取るべきＲＦＩＤタグリーダ３１と合致するかを判断する。ＲＦＩＤタグ２１のＩＤ番号を読み取ったＲＦＩＤタグリーダ３１が、上記の予め設定されたＲＦＩＤタグリーダと合致する場合は、判断処理手段３３は、電子ペーパー２の位置を認証する。【００４４】
図１２は、ＲＦＩＤタグリーダによるＲＦＩＤタグのＩＤ番号の読み取り動作例を示す図である。図１２中のＲＦＩＤタグ２１内に記述された番号（Ａ１、Ａ２）は、各ＲＦＩＤタグ２１のＩＤ番号を示し、ＲＦＩＤタグリーダ３１内に記述された番号（Ｂ１〜Ｂ４）は、各ＲＦＩＤタグリーダ３１の識別番号を示している。前述したように、ＲＦＩＤタグリーダ３１から発せられた起電電波を受信したＲＦＩＤタグ２１が、ＲＦＩＤタグ２１のＩＤ番号を含む信号電波をＲＦＩＤタグリーダ３１に対して返し、ＲＦＩＤタグリーダ３１がＲＦＩＤタグ２１のＩＤ番号を読み取る。例えば、識別番号が「Ｂ１」のＲＦＩＤタグリーダ３１がＩＤ番号「Ａ１」のみを読み取り、識別番号が「Ｂ２」のＲＦＩＤタグリーダ３１がＩＤ番号「Ａ２」のみを読み取り、これら２つのＲＦＩＤタグリーダ３１以外のＲＦＩＤタグリーダ３１がＲＦＩＤタグ２１のＩＤ番号を読み取らない場合に、電子ペーパー２について正しく位置認証されるように、認証装置３に予め設定されている。【００４５】
しかし、図１２に示す全てのＲＦＩＤタグリーダ３１が同時にＲＦＩＤタグ２１のＩＤ番号の読み取り動作（起電電波の発信）を行うと、各ＲＦＩＤタグリーダ３１が、本来の読み取り対象であるＩＤ番号以外のＩＤ番号を読み取ってしまう可能性がある。例えば、図１２中の矢印の先に示すように、識別番号が「Ｂ１」のＲＦＩＤタグリーダ３１がＩＤ番号「Ａ１」とＩＤ番号「Ａ２」を読み取り、識別番号が「Ｂ２」のＲＦＩＤタグリーダ３１がＩＤ番号「Ａ１」とＩＤ番号「Ａ２」を読み取り、識別番号が「Ｂ３」のＲＦＩＤタグリーダ３１がＩＤ番号「Ａ２」を読み取ると、電子ペーパー２についての位置認証処理が正しく行えなくなってしまう。【００４６】
そこで、この例においては、図１３（Ａ）に示すように、電子ペーパー２と認証装置３とが、電波を吸収する電波吸収手段４０を備える。ＲＦＩＤタグ２１とＲＦＩＤタグリーダ３１は、電波吸収手段４０内に格納される。図１３（Ａ）に示す電子ペーパー２が備える電波吸収手段４０がＲＦＩＤタグリーダ３１から発信された起電電波を吸収し、認証装置３が備える電波吸収手段４０がＲＦＩＤタグ２１から返された信号電波を吸収する。従って、例えば、識別番号が「Ｂ１」のＲＦＩＤタグリーダ３１がＩＤ番号「Ａ１」のみを読み取り、識別番号が「Ｂ２」のＲＦＩＤタグリーダ３１がＩＤ番号「Ａ２」のみを読み取る。すなわち、電波吸収手段４０は、各ＲＦＩＤタグリーダ３１が各ＲＦＩＤタグリーダ３１に対応する一つのＲＦＩＤタグ２１の識別番号を読み取るように制御する読み取り制御手段を構成している。図１３（Ａ）に示す構成を採る電子ペーパー２と認証装置３とを用いれば、ＲＦＩＤタグリーダ３１が、本来の読み取り対象であるＲＦＩＤタグ２１のＩＤ番号のみを読み取るため、認証装置３が電子ペーパー２についての位置認証処理を正しく行うことができる。【００４７】
また、この例においては、図１３（Ａ）に示す構成に代えて、図１３（Ｂ）に示すように、例えば、電子ペーパー２が電波を吸収する電波吸収手段４０と電波を反射する電波反射手段４１とを備え、認証装置３が電波吸収手段４０を備える。電子ペーパー２が備える電波反射手段４１は、認証装置３内のＲＦＩＤタグリーダ３１から発信された起電電波を反射して、反射された起電電波をＲＦＩＤタグ２１に入射する。図１３（Ｂ）の構成を採る電子ペーパー２と認証装置３とを用いれば、電波反射手段４１によって、ＲＦＩＤタグ２１が受ける起電電波が強くなるため、ＲＦＩＤタグ２１がＲＦＩＤタグリーダ３１に対して返す信号電波が強くなる。また、電子ペーパー２が備える電波吸収手段４０がＲＦＩＤタグリーダ３１から発信された起電電波を吸収し、認証装置３が備える電波吸収手段４０がＲＦＩＤタグ２１から返された信号電波を吸収する。従って、ＲＦＩＤタグリーダ３１は、本来の読み取り対象であるＲＦＩＤタグ２１のＩＤ番号のみを読み取る。【００４８】
図１４は、図１を参照して説明した電子ペーパーの構造の一例を示す図である。本発明の一実施形態によれば、電子ペーパー２は、表面２−１の背後に中面第二層２−３を備え、中面第二層の背後に中面第三層２−５を備える。なお、ここでの図示は省略するが、図６を参照して説明したように、電子ペーパー２は、表面２−１と中面第二層２−３との間に図６に示す中面第一層２−２を備える。中面第二層２−３は、ＲＦＩＤタグ２１を備え、中面第三層２−５は、図１３（Ａ）又は図１３（Ｂ）中に示す電波吸収手段４０を備える。中面第三層２−５は、図１３（Ｂ）中に示す電波反射手段４１を備えるようにしてもよい。本発明の一実施形態によれば、認証装置３が、ＲＦＩＤタグリーダ３１を備える層（例えば、図７中に示す中面第一層３−２）の背後に電波吸収手段４０又は電波反射手段４１が配置された層を備えてもよい。【００４９】
図１５（Ａ）及び図１５（Ｂ）は、図１を用いて説明した電子ペーパーの構造の一例を示す図である。本発明の一実施形態によれば、電子ペーパー２が、図１５（Ａ）に示すように、電波吸収手段４０が特定のパターンで配置されている中面第二層２−３を備える。中面第二層２−３には、図１３（Ｂ）中に示す電波反射手段４１を特定のパターンで配置するようにしてもよい。図１５（Ｂ）に示すように、電子ペーパー２の表面２−１の背後に図１５（Ａ）に示す中面第二層２−３が配置され、当該中面第二層２−３の背後に中面第三層２−５が配置される。中面第三層２−５は、ＲＦＩＤタグ２１を備える。この例では、特定のパターンで配置された電波吸収手段４０が、ＲＦＩＤタグリーダ３１（図示を省略）から発信された起電電波を吸収する。その結果、電波吸収手段４０の背後に位置しないＲＦＩＤタグ２１のみが信号電波をＲＦＩＤタグリーダ３１に返す。従って、図１５（Ｂ）に示す電子ペーパー２によれば、ＲＦＩＤタグリーダ３１が、本来の読み取り対象であるＲＦＩＤタグ２１のＩＤ番号のみを読み取るように制御することができる。また、図１５（Ｂ）に示す電子ペーパー２によれば、表面２−１や中面第三層２−５については、同様の物を大量に生産することができ、電子ペーパー２の製造コストを低減することが可能となる。なお、本発明の一実施形態によれば、認証装置３が、ＲＦＩＤタグリーダ３１を備える層（例えば、図７中に示す中面第一層３−２）の前に、特定のパターンで電波吸収手段４０又は電波反射手段４１が配置された層を備えてもよい。【００５０】
図１６は、認証装置に３枚の電子ペーパーが重ねられた場合の、認証装置と電子ペーパーの断面を示す。各電子ペーパー２は、ＲＦＩＤタグ２１と、ＲＦＩＤタグ２１の背後に配置された電波吸収手段４０を備えている。図１６中に示すＲＦＩＤタグ２１内に記述された番号は、当該ＲＦＩＤタグ２１のＩＤ番号である。また、ＲＦＩＤタグリーダ３１内に記述された番号は、当該ＲＦＩＤタグリーダ３１の識別番号である。本発明の一実施例によれば、図１６中の太い楕円で囲った部分に示すように、識別番号が１０のＲＦＩＤタグリーダ３１がＡ３１というＩＤ番号を読み取り、識別番号が１１のＲＦＩＤタグリーダ３１がＡ３２というＩＤ番号を読み取り、識別番号が１２のＲＦＩＤタグリーダ３１がＡ２２というＩＤ番号を読み取り、識別番号が１３のＲＦＩＤタグリーダ３１がＡ１３というＩＤ番号を読み取り、識別番号が１４のＲＦＩＤタグリーダ３１がＡ３３というＩＤ番号を読み取り、識別番号が１５のＲＦＩＤタグリーダ３１がＡ２３というＩＤ番号を読み取った場合に、認証装置３が備える判断処理手段３３（図示を省略）が、電子ペーパー２の位置を認証し、制御信号を送出する。【００５１】
図１７（Ａ）〜図１７（Ｃ）は、ＲＦＩＤタグリーダによるＲＦＩＤタグのＩＤ番号の読み取り動作の一例を示す図である。認証装置３は、図１７（Ａ）に示す各ＲＦＩＤタグリーダ３１が各ＲＦＩＤタグリーダ３１に対応する一つのＲＦＩＤタグ２１（図１７では図示を省略）のＩＤ番号を読み取るように制御する読み取り制御手段を備える。当該読み取り制御手段は、後述する読み取りパターンテーブルを参照して、各ＲＦＩＤタグリーダ３１によるＲＦＩＤタグ２１のＩＤ番号の読み取りを制御する。読み取りパターンテーブルには、ＲＦＩＤタグリーダ３１がＲＦＩＤタグ２１の読み取り動作を行う際の読み取りパターンの情報が格納される。例えば、読み取りパターンの情報に基づいて、第１回目のＲＦＩＤタグ２１のＩＤ番号の読み取り動作において、図１７（Ｂ）に示すように、色付けがされたＲＦＩＤタグリーダ３１がＲＦＩＤタグ２１のＩＤ番号を読み取る。そして、例えば、第２回目のＲＦＩＤタグ２１のＩＤ番号の読み取り動作において、図１７（Ｃ）中に示す色付けがされたＲＦＩＤタグリーダ３１がＲＦＩＤタグ２１のＩＤ番号を読み取る。このように、ＲＦＩＤタグ２１の読み取り動作を同時に行うＲＦＩＤタグリーダ３１を、認証装置３において一つ置きに配置されたＲＦＩＤタグリーダとすることで、一つのＲＦＩＤタグリーダ３１が複数のＲＦＩＤタグ２１のＩＤ番号を読み取らないように制御することができる。【００５２】
本発明の一実施例によれば、例えば、前述した読み取り制御手段が、認証装置３において２つ置きに配置されたＲＦＩＤタグリーダ３１がＲＦＩＤタグ２１のＩＤ番号の読み取り動作を同時に行うように制御する。例えば、読み取りパターンの情報に基づいて、第１回目のＲＦＩＤタグ２１のＩＤ番号の読み取り動作において、図１８（Ａ）に示す４８個のＲＦＩＤタグリーダ３１のうち、図１８（Ｂ）に示すように、認証装置３において２つ置きに配置されたＲＦＩＤタグリーダ３１（色が付けられたＲＦＩＤタグリーダ３１）が、ＲＦＩＤタグ２１のＩＤ番号を読み取る。そして、第２回目のＲＦＩＤタグ２１のＩＤ番号の読み取り動作において、図１８（Ｃ）中に示す色付けがされたＲＦＩＤタグリーダ３１がＲＦＩＤタグ２１のＩＤ番号を読み取る。そして、第３回目のＲＦＩＤタグ２１のＩＤ番号の読み取り動作において、図１８（Ｄ）中に示す色付けがされたＲＦＩＤタグリーダ３１がＲＦＩＤタグ２１のＩＤ番号を読み取る。【００５３】
本発明の一実施例によれば、例えば、前述した読み取り制御手段が、認証装置３において３つ置きに配置されたＲＦＩＤタグリーダ３１がＲＦＩＤタグ２１のＩＤ番号の読み取り動作を同時に行うように制御する。例えば、読み取りパターンの情報に基づいて、第１回目のＲＦＩＤタグ２１のＩＤ番号の読み取り動作において、図１９（Ａ）に示す４８個のＲＦＩＤタグリーダ３１のうち、図１９（Ｂ）に示すように、認証装置３において３つ置きに配置された、色付けがされたＲＦＩＤタグリーダ３１がＲＦＩＤタグ２１のＩＤ番号を読み取る。また、第２回目のＲＦＩＤタグ２１のＩＤ番号の読み取り動作において、図１９（Ｃ）中に示す色付けがされたＲＦＩＤタグリーダ３１がＲＦＩＤタグ２１のＩＤ番号を読み取る。第３回目のＲＦＩＤタグ２１のＩＤ番号の読み取り動作において、図１９（Ｄ）中に示す色付けがされたＲＦＩＤタグリーダ３１がＲＦＩＤタグ２１のＩＤ番号を読み取る。そして、第４回目のＲＦＩＤタグ２１のＩＤ番号の読み取り動作において、図１９（Ｅ）中に示す色付けがされたＲＦＩＤタグリーダ３１がＲＦＩＤタグ２１のＩＤ番号を読み取る。【００５４】
図２０（Ａ）は、認証装置内に配置されたＲＦＩＤタグリーダを示し、図２０（Ｂ）は、読み取りパターンテーブルの一例を示す。図２０（Ａ）中のＲＦＩＤタグリーダ３１内に記述された番号は、当該ＲＦＩＤタグリーダ３１の識別番号を示している。図２０（Ｂ）に示す読み取りパターンテーブルは、「Ｎｏ」、「読取間隔」、「順序」、「対象ＲＦＩＤタグリーダＮｏ」といったデータ構成を有する。「読取間隔」は、ＲＦＩＤタグ２１のＩＤ番号の読み取り動作を同時に行うＲＦＩＤタグリーダ３１同士の間隔の情報（例えば、一つ置きか２つ置きか等の情報）を格納する。「順序」は、ＲＦＩＤタグ２１のＩＤ番号の読み取り動作を行う順序を、当該「読取間隔」に対応付けて格納する。「対象ＲＦＩＤタグリーダＮｏ」は、図２０（Ａ）に示す４８個のＲＦＩＤタグリーダ３１のうち、ＲＦＩＤタグ２１のＩＤ番号の読み取り動作を同時に行うＲＦＩＤタグリーダの識別番号を、当該「読取間隔」及び「順序」に対応付けて格納する。「Ｎｏ」は、ＲＦＩＤタグ２１のＩＤ番号の読み取り動作を同時に行うＲＦＩＤタグリーダの識別番号群を識別する番号を格納する。【００５５】
図２１は、ＲＦＩＤタグリーダによるＲＦＩＤタグのＩＤ番号の読み取り処理フローの一例を示す図である。この例では、認証装置３が備える読み取り制御手段が、ＲＦＩＤタグリーダ３１が複数のＲＦＩＤタグ２１のＩＤ番号を読み取った場合に、当該ＲＦＩＤタグリーダ３１が発する起電電波の強さを変更し、その後、当該ＲＦＩＤタグリーダ３１にＲＦＩＤタグ２１のＩＤ番号を再度読み取らせる。まず、読み取り制御手段が、読み取りパターンテーブルを参照し、ＲＦＩＤタグ２１のＩＤ番号の読み取りを実行する（ステップＳ１）。次に、読み取り制御手段が、１つのＲＦＩＤタグリーダ３１において２つ以上のＲＦＩＤタグ２１のＩＤ番号を読み取ったかを判断する（ステップＳ２）。読み取り制御手段が、１つのＲＦＩＤタグリーダ３１において２つ以上のＲＦＩＤタグ２１のＩＤ番号を読み取ったと判断した場合は、ＲＦＩＤタグ２１のＩＤ番号の再読み取り処理を行う（ステップＳ３）。読み取り制御手段が、１つのＲＦＩＤタグリーダ３１が１つのＲＦＩＤタグ２１のＩＤ番号を読み取ったと判断した場合は、ステップＳ４に進む。そして、読み取り制御手段が、全ての読み取りパターンでの読み取りを実行したかを判断する（ステップＳ４）。読み取り制御手段が、全ての読み取りパターンでの読み取りを実行したと判断した場合は処理を終了し、読み取り制御手段が、実行していない読み取りパターンが残っていると判断した場合は、ステップＳ１に戻る。【００５６】
図２２は、ＲＦＩＤタグリーダによるＲＦＩＤタグのＩＤ番号の再読み取り処理フローの一例を示す図である。図２２において、ＳＴＧは、対象のＲＦＩＤタグリーダ３１の起電電波の強さの値を示し、Ｎは、起電電波の強さの値を減少させる度合い（％）を示し、Ｍは、ＲＦＩＤタグのＩＤ番号を読み取る最大回数を示す。また、ＷＫ＿ＳＴＧとＪは、ワーク用変数である。まず、読み取り制御手段は、ＷＫ＿ＳＴＧをＳＴＧが示す値とし（ステップＳ３０）、Ｊを０に設定する（ステップＳ３１）。次に、読み取り制御手段は、Ｊ＞Ｍかを判断する（ステップＳ３２）。読み取り制御手段は、Ｊ＞Ｍであると判断した場合、読み取り不可を示すコード（例えば、−１）を返して（ステップＳ３９）、処理を終了する。読み取り制御手段は、Ｊ＞Ｍでないと判断した場合、Ｊをインクリメントする（ステップＳ３３）。また、読み取り制御手段は、ＷＫ＿ＳＴＧをＷＫ＿ＳＴＧ＊（１００−Ｎ）／１００とする（ステップＳ３４）。すなわち、読み取り制御手段は、ＲＦＩＤタグリーダ３１の起電電波の強さを弱める。そして、読み取り制御手段は、対象のＲＦＩＤタグリーダ３１で起電電波の強さをＷＫ＿ＳＴＧに設定して、ＲＦＩＤタグ２１のＩＤ番号の読み取りを実行する（ステップＳ３５）。次に、読み取り制御手段は、読み取ったＲＦＩＤタグ２１のＩＤ番号が２つ以上かを判断する（ステップＳ３６）。読み取り制御手段が、読み取ったＲＦＩＤタグ２１のＩＤ番号が２つ以上であると判断した場合は、ステップＳ３４に戻る。読み取り制御手段が、読み取ったＲＦＩＤタグのＩＤ番号が２つ以上でないと判断した場合は、読み取り制御手段は、読み取ったＲＦＩＤタグのＩＤ番号が１つであるかを判断する（ステップＳ３７）。読み取り制御手段が、読み取ったＲＦＩＤタグのＩＤ番号が１つであると判断した場合は、処理を終了する。読み取り制御手段が、ＲＦＩＤタグのＩＤ番号を１つも読み取っていないと判断した場合は、ＷＫ＿ＳＴＧをＷＫ＿ＳＴＧ＊（１００＋（Ｎ／２））／１００として（ステップＳ３８）、ステップＳ３５に戻る。【００５７】
複数のＲＦＩＤタグのＩＤ番号がＲＦＩＤタグリーダによって読み取られた場合に、複数のＲＦＩＤタグのＩＤ番号のうち、当該ＲＦＩＤタグリーダが読み取ったＲＦＩＤタグのＩＤ番号を確定する処理を説明する。【００５８】
例えば、前述した図９に示すように、電子ペーパー２と認証装置３とが重ねられて、ＩＤ番号がＡ１のＲＦＩＤタグ２１−１が、識別番号が１４のＲＦＩＤタグリーダ３１上に配置され、ＩＤ番号がＡ２のＲＦＩＤタグ２１−２が、識別番号が２０のＲＦＩＤタグリーダ３１上に配置され、ＩＤ番号がＡ３のＲＦＩＤタグ２１−３が、識別番号が１５のＲＦＩＤタグリーダ３１上に配置される。この場合、ＲＦＩＤタグリーダ３１の識別番号（ＲＦＩＤタグリーダＮｏ）と、当該ＲＦＩＤタグリーダ３１が読み取ったＲＦＩＤタグ２１のＩＤ番号（ＲＦＩＤタグＮｏ）との対応情報を図２３（Ａ）に示す。【００５９】
図２３（Ａ）に示すように、例えば、識別番号が１４のＲＦＩＤタグリーダ３１がＡ１とＡ３という２個のＩＤ番号を読み取り、識別番号が１５のＲＦＩＤタグリーダ３１がＡ１とＡ３という２個のＩＤ番号を読み取り、識別番号が２０のＲＦＩＤタグリーダ３１がＡ１とＡ２という２個のＩＤ番号を読み取り、識別番号が２１のＲＦＩＤタグリーダ３１はＡ２というＩＤ番号を読み取る。本発明の一実施形態によれば、認証装置３が備える読み取り制御手段（図示を省略）が、各ＲＦＩＤタグリーダ３１が読み取ったＲＦＩＤタグ２１のＩＤ番号のうち、図２３（Ａ）中の楕円で囲ったＩＤ番号を無効とする。すなわち、読み取り制御手段は、識別番号が１４のＲＦＩＤタグリーダ３１が読み取ったＡ１とＡ３という２個のＩＤ番号のうち、Ａ１を当該ＲＦＩＤタグリーダ３１が読み取ったＩＤ番号として確定し、Ａ３を無効とする。読み取り制御手段は、識別番号が１５のＲＦＩＤタグリーダ３１が読み取ったＡ１とＡ３という２個のＩＤ番号のうち、既に識別番号が１４のＲＦＩＤタグリーダ３１が読み取ったＩＤ番号として確定したＡ１を無効とし、Ａ３を識別番号が１５のＲＦＩＤタグリーダ３１が読み取ったＩＤ番号として確定する。次に、読み取り制御手段は、識別番号が２０のＲＦＩＤタグリーダ３１が読み取ったＡ１とＡ２という２個のＩＤ番号のうち、Ａ１を無効とし、Ａ２を当該ＲＦＩＤタグリーダ３１が読み取ったＩＤ番号として確定する。そして、読み取り制御手段は、識別番号が２１のＲＦＩＤタグリーダ３１が読み取ったＡ２というＩＤ番号を無効とする。その結果、図２３（Ｂ）に示すように、Ａ１が、１４という識別番号のＲＦＩＤタグリーダ３１が読み取ったＩＤ番号として確定し、Ａ３が、１５という識別番号のＲＦＩＤタグリーダ３１が読み取ったＩＤ番号として確定し、Ａ２が、２０という識別番号のＲＦＩＤタグリーダ３１が読み取ったＩＤ番号として確定する。【００６０】
図２４は、認証装置による表示指示情報送出処理フローの一例を示す図である。まず、認証装置３が備える位置検知手段（ＲＦＩＤタグリーダ）３１が、電子ペーパー２が備えるＲＦＩＤタグ２１のＩＤ番号の読み取り処理を行う（ステップＳ１１）。ステップＳ１１においては、さらに、各ＲＦＩＤタグリーダ３１が読み取ったＲＦＩＤタグ２１のＩＤ番号が、認証装置３が備える後述する読み取り結果テーブル（図１では図示を省略）に格納される。【００６１】
次に、認証装置３が備える読み取り制御手段（図示を省略）が、読み取り結果テーブルの格納値確定処理を行う（ステップＳ１２）。読み取り結果テーブルの格納値確定処理とは、読み取り結果テーブル中に格納されたＩＤ番号のうち、各ＲＦＩＤタグリーダ３１が読み取ったＲＦＩＤタグ２１のＩＤ番号を確定する処理である。次に、判断処理手段３３が、位置認証処理を行い（ステップＳ１３）、認証許可すべきか判断する（ステップＳ１４）。判断処理手段３３が認証許可すべきでないと判断した場合は処理を終了する。判断処理手段３３が認証許可すべきであると判断した場合は、判断処理手段３３が、電子ペーパー２に表示指示情報を送出する（ステップ１５）。【００６２】
認証装置３による非表示指示情報送出処理フローは、上記ステップＳ１５の代わりに、判断処理手段３３が、電子ペーパー２に非表示指示情報を送出する以外は、図２４に示す処理フローと同様であるので、説明を省略する。【００６３】
図２５は、図２４のステップＳ１１において実行されるＲＦＩＤタグのＩＤ番号の読み取り処理フローの一例を示す図である。まず、位置検知手段３１がｉを１に設定する（ステップＳ１１０）。ｉは、ＲＦＩＤタグリーダ３１の識別番号を示す変数である。次に、ＲＦＩＤタグリーダ（ｉ）が、ＲＦＩＤタグ２１のＩＤ番号の読み取りを実行する（ステップＳ１１１）。ＲＦＩＤタグリーダ（ｉ）は、識別番号がｉであるＲＦＩＤタグリーダ３１である。次に、位置検知手段３１が、読み取ったＩＤ番号を読み取り結果テーブルに格納して（ステップＳ１１２）、ｉをインクリメントする（ステップＳ１１３）。次に、位置検知手段３１が、ｉ＞ＴＧ＿ＲＤ＿ＭＡＸかを判断する（ステップＳ１１４）。ＴＧ＿ＲＤ＿ＭＡＸは、ＲＦＩＤタグリーダ３１の最大数であり、例えば図２０（Ａ）中に示すＲＦＩＤタグリーダ３１の最大数は４８である。【００６４】
位置検知手段３１が、ｉ＞ＴＧ＿ＲＤ＿ＭＡＸでないと判断した場合は、ステップＳ１１０に戻り、位置検知手段３１が、ｉ＞ＴＧ＿ＲＤ＿ＭＡＸであると判断した場合は、処理を終了する。【００６５】
図２６は、ＲＦＩＤタグのＩＤ番号の読み取り処理前の読み取り結果テーブルの一例を示し、図２７は、ＲＦＩＤタグのＩＤ番号の読み取り処理後の読み取り結果テーブルの一例を示す。図２６又は図２７に示すように、読み取り結果テーブルは、例えば、「ＲＦＩＤタグリーダＮｏ」、「ＲＦＩＤタグ１−Ｎｏ」、「ＲＦＩＤタグ２−Ｎｏ」、「ＲＦＩＤタグ３−Ｎｏ」といったデータ構成を有する。「ＲＦＩＤタグリーダＮｏ」は、ＲＦＩＤタグリーダ３１の識別番号を格納する。「ＲＦＩＤタグ１−Ｎｏ」は、当該識別番号のＲＦＩＤタグリーダ３１が読み取った、第１のＲＦＩＤタグのＩＤ番号に対応する値を格納する。「ＲＦＩＤタグ２−Ｎｏ」は、当該識別番号のＲＦＩＤタグリーダ３１が読み取った、第２のＲＦＩＤタグのＩＤ番号に対応する値を格納する。「ＲＦＩＤタグ３−Ｎｏ」は、当該識別番号のＲＦＩＤタグリーダ３１が読み取った、第３のＲＦＩＤタグのＩＤ番号に対応する値を格納する。図２６に示すように、ＲＦＩＤタグ２１のＩＤ番号の読み取り処理前には、読み取り結果テーブル中の、ＲＦＩＤタグ１−Ｎｏ〜ＲＦＩＤタグ３−Ｎｏには、初期値として「０」が格納される。また、例えば、図２７中に示す読み取り結果テーブルにおいて「ＲＦＩＤタグ１−Ｎｏ」、「ＲＦＩＤタグ２−Ｎｏ」又は「ＲＦＩＤタグ３−Ｎｏ」に格納される番号「１」は、Ａ１というＩＤ番号を示す値であり、番号「２」は、Ａ２というＩＤ番号を示す値であり、番号「３」は、Ａ３というＩＤ番号を示す値である。ＲＦＩＤタグリーダ３１がＩＤ番号を読み取らない場合には、読み取り結果テーブルにおける当該ＲＦＩＤタグリーダ３１に対応する格納値として、番号「０」が格納される。【００６６】
例えば、１４という識別番号のＲＦＩＤタグリーダ３１が、第１のＲＦＩＤタグのＩＤ番号としてＡ１、第２のＲＦＩＤタグのＩＤ番号としてＡ３を読み取り、１５という識別番号のＲＦＩＤタグリーダ３１が、第１のＲＦＩＤタグのＩＤ番号としてＡ１、第２のＲＦＩＤタグのＩＤ番号としてＡ３を読み取る。また、例えば、２０という識別番号のＲＦＩＤタグリーダ３１が、第１のＲＦＩＤタグのＩＤ番号としてＡ１、第２のＲＦＩＤタグのＩＤ番号としてＡ２を読み取り、２１という識別番号のＲＦＩＤタグリーダ３１が、第１のＲＦＩＤタグのＩＤ番号としてＡ２を読み取る。当該ＩＤ番号の読み取り結果テーブルへの格納結果は、例えば、図２７に示すようになる。【００６７】
図２８は、図２４のステップＳ１２において実行される読み取り結果テーブルの格納値確定処理フローの一例を示す図である。この例では、読み取り制御手段が、図２７に示す読み取り結果テーブルの各行の格納値を上の行から読み込んで、値が小さい順に格納値を確定させていく。まず、読み取り制御手段が、ｉ、Ｊのそれぞれに１を設定する（ステップＳ１２１）。次に、読み取り制御手段が、認証装置３が備えるタグ確定有無テーブル（図１では図示を省略）の格納値（ＴＢＬ＿ＴＧ（１）〜ＴＢＬ＿ＴＧ（３））を０に設定する（ステップＳ１２２）。タグ確定有無テーブルは、ＩＤ番号を読み取ったＲＦＩＤタグリーダ３１が確定した場合における当該ＩＤ番号を格納する。例えば、タグ確定有無テーブルの一例を示す図３３（Ａ）において、項目「第１」に対応する「Ｎｏ」は、最初に確定したＩＤ番号に対応する値（ＴＢＬ＿ＴＧ（１））を格納する。また、項目「第２」に対応する「Ｎｏ」は、２番目に確定したＩＤ番号に対応する値（ＴＢＬ＿ＴＧ（２））を格納する。また、項目「第３」に対応するＮｏは、３番目に確定したＩＤ番号に対応する値（ＴＢＬ＿ＴＧ（３））を格納する。上記のステップＳ１２２の処理後のタグ確定有無テーブルは、図３３（Ａ）に示すような格納値を持つ。【００６８】
次に、読み取り制御手段が、読み取り結果テーブルにおいて、識別番号ｉのＲＦＩＤタグリーダ３１が読み取ったＩＤ番号のうちの最小値が格納されている列（ｉ＿ＭＩＮ）を特定する（ステップＳ１２３）。例えば、読み取り制御手段は、図２７に示す読み取り結果テーブル中の、第ｉ行第１列の格納値（ＴＢＬ＿ＲＤＫＥＫＫＡ（ｉ，１））〜第ｉ行第３列の格納値（ＴＢＬ＿ＲＤＫＥＫＫＡ（ｉ，３））の中での最小値が格納されている列を特定する処理を行う。【００６９】
次に、読み取り制御手段が、ｉ＿ＭＩＮ＝０かを判断する（ステップＳ１２４）。読み取り制御手段が、ｉ＿ＭＩＮ＝０であると判断した場合は、ステップＳ１２９の処理に進む。読み取り制御手段が、ｉ＿ＭＩＮ＝０でないと判断した場合は、ＴＢＬ＿ＲＤＫＥＫＫＡ（ｉ，ｉ＿ＭＩＮ）をＴＢＬ＿ＴＧ（Ｊ）に代入する（ステップＳ１２５）。ＴＢＬ＿ＲＤＫＥＫＫＡ（ｉ，ｉ＿ＭＩＮ）とは、読み取り結果テーブルにおける第ｉ行第ｉ＿ＭＩＮ列の格納値であり、ＴＢＬ＿ＴＧ（Ｊ）とは、タグ確定有無テーブルにおける第Ｊ列の格納値である。例えば、ステップＳ１２５において、ｉ＝１４の時の処理を実施した後は、タグ確定有無テーブルは図３３（Ｂ）に示すような格納値を持ち、ｉ＝１５の時の処理を実施した後は、タグ確定有無テーブルは図３３（Ｃ）に示すような格納値を持ち、ｉ＝２０の時の処理を実施した後は、タグ確定有無テーブルは図３３（Ｄ）に示すような格納値を持つ。【００７０】
次に、読み取り制御手段が、読み取り結果テーブルにおける第ｉ行の格納値のうち、第ｉ＿ＭＩＮ列の格納値以外の格納値を０に設定する（ステップＳ１２６）。そして、読み取り制御手段が、読み取り結果テーブルにおける第ｉ行の次の行〜最終行において、ＴＢＬ＿ＴＧ（Ｊ）と同じ値が格納された列を０クリアする（ステップＳ１２７）。【００７１】
読み取り制御手段が、Ｊをインクリメントし（ステップＳ１２８）、また、ｉをインクリメントする（ステップＳ１２９）。そして、読み取り制御手段が、Ｊ＞ＴＧ＿ＩＤ＿ＭＡＸかを判断する（ステップＳ１３０）。ＴＧ＿ＩＤ＿ＭＡＸとは、対象とするＲＦＩＤタグ２１の最大数（例えば３）である。読み取り制御手段が、Ｊ＞ＴＧ＿ＩＤ＿ＭＡＸであると判断した場合は、処理を終了する。読み取り制御手段が、Ｊ＞ＴＧ＿ＩＤ＿ＭＡＸでないと判断した場合は、読み取り制御手段は、ｉ＞ＴＧ＿ＲＤ＿ＭＡＸかを判断する（ステップＳ１３１）。読み取り制御手段が、ｉ＞ＴＧ＿ＲＤ＿ＭＡＸでないと判断した場合は、ステップＳ１２３に戻る。読み取り制御手段が、ｉ＞ＴＧ＿ＲＤ＿ＭＡＸであると判断した場合は、処理を終了する。図２８に示す読み取り結果テーブルの格納値確定処理の結果、読み取り結果テーブルの格納値は、例えば図２９に示すような格納値となる。【００７２】
図３０は、図２８のステップＳ１２３の処理の詳細を説明する図である。読み取り制御手段が、ＴＢＬ＿ＲＤＫＥＫＫＡ（ｉ，１）＝０かを判断する（ステップＳ２０１）。読み取り制御手段が、ＴＢＬ＿ＲＤＫＥＫＫＡ（ｉ，１）＝０でないと判断した場合は、ステップＳ２０２に進む。読み取り制御手段が、ＴＢＬ＿ＲＤＫＥＫＫＡ（ｉ，１）＝０であると判断した場合は、読み取り制御手段は、ｉ＿ＭＩＮに０を設定し（ステップＳ２０６）、ＴＢＬ＿ＲＤＫＥＫＫＡ（ｉ，２）＝０かを判断する（ステップＳ２０８）。読み取り制御手段が、ＴＢＬ＿ＲＤＫＥＫＫＡ（ｉ，２）＝０であると判断した場合は、読み取り制御手段は、ＴＢＬ＿ＲＤＫＥＫＫＡ（ｉ，３）＝０であるかを判断する（ステップＳ２１２）。上記ステップＳ２０８において、読み取り制御手段が、ＴＢＬ＿ＲＤＫＥＫＫＡ（ｉ，２）＝０でないと判断した場合は、ステップＳ２０９に進む。上記ステップＳ２１２において、読み取り制御手段が、ＴＢＬ＿ＲＤＫＥＫＫＡ（ｉ，３）＝０でないと判断した場合は、読み取り制御手段は、ｉ＿ＭＩＮに３を設定し（ステップＳ２１９）、処理を終了する。読み取り制御手段が、ＴＢＬ＿ＲＤＫＥＫＫＡ（ｉ，３）＝０であると判断した場合は、読み取り制御手段は、ｉ＿ＭＩＮに０を設定する（ステップＳ２１６）。【００７３】
ステップＳ２０９において、読み取り制御手段が、ＴＢＬ＿ＲＤＫＥＫＫＡ（ｉ，２）＞ＴＢＬ＿ＲＤＫＥＫＫＡ（ｉ，３）かを判断する（ステップＳ２０９）。読み取り制御手段が、ＴＢＬ＿ＲＤＫＥＫＫＡ（ｉ，２）＞ＴＢＬ＿ＲＤＫＥＫＫＡ（ｉ，３）でないと判断した場合は、読み取り制御手段は、ｉ＿ＭＩＮに２を設定する（ステップＳ２１７）。読み取り制御手段が、ＴＢＬ＿ＲＤＫＥＫＫＡ（ｉ，２）＞ＴＢＬ＿ＲＤＫＥＫＫＡ（ｉ，３）であると判断した場合は、読み取り制御手段は、ＴＢＬ＿ＲＤＫＥＫＫＡ（ｉ，３）＝０かを判断する（ステップＳ２１０）。読み取り制御手段が、ＴＢＬ＿ＲＤＫＥＫＫＡ（ｉ，３）＝０であると判断した場合は、ステップＳ２１７に進む。読み取り制御手段が、ＴＢＬ＿ＲＤＫＥＫＫＡ（ｉ，３）＝０でないと判断した場合は、読み取り制御手段は、ｉ＿ＭＩＮに３を設定する（ステップＳ２１８）。【００７４】
ステップＳ２０２において、読み取り制御手段が、ＴＢＬ＿ＲＤＫＥＫＫＡ（ｉ，１）＜ＴＢＬ＿ＲＤＫＥＫＫＡ（ｉ，２）かを判断する（ステップＳ２０２）。読み取り制御手段が、ＴＢＬ＿ＲＤＫＥＫＫＡ（ｉ，１）＜ＴＢＬ＿ＲＤＫＥＫＫＡ（ｉ，２）でないと判断した場合は、ステップＳ２０３に進む。読み取り制御手段が、ＴＢＬ＿ＲＤＫＥＫＫＡ（ｉ，１）＜ＴＢＬ＿ＲＤＫＥＫＫＡ（ｉ，２）であると判断した場合は、読み取り制御手段は、ＴＢＬ＿ＲＤＫＥＫＫＡ（ｉ，１）＜ＴＢＬ＿ＲＤＫＥＫＫＡ（ｉ，３）であるかを判断する（ステップＳ２０７）。読み取り制御手段が、ＴＢＬ＿ＲＤＫＥＫＫＡ（ｉ，１）＜ＴＢＬ＿ＲＤＫＥＫＫＡ（ｉ，３）であると判断した場合は、読み取り制御手段は、ｉ＿ＭＩＮに１を設定する（ステップＳ２２０）。読み取り制御手段が、ＴＢＬ＿ＲＤＫＥＫＫＡ（ｉ，１）＜ＴＢＬ＿ＲＤＫＥＫＫＡ（ｉ，３）でないと判断した場合は、ステップＳ２１９に進む。【００７５】
ステップＳ２０３において、読み取り制御手段が、ＴＢＬ＿ＲＤＫＥＫＫＡ（ｉ，２）＝０かを判断する（ステップＳ２０３）。読み取り制御手段が、ＴＢＬ＿ＲＤＫＥＫＫＡ（ｉ，２）＝０であると判断した場合は、ステップＳ２０４に進む。読み取り制御手段が、ＴＢＬ＿ＲＤＫＥＫＫＡ（ｉ，２）＝０でないと判断した場合は、読み取り制御手段は、ＴＢＬ＿ＲＤＫＥＫＫＡ（ｉ，２）＜ＴＢＬ＿ＲＤＫＥＫＫＡ（ｉ，３）かを判断する（ステップＳ２１１）。読み取り制御手段が、ＴＢＬ＿ＲＤＫＥＫＫＡ（ｉ，２）＜ＴＢＬ＿ＲＤＫＥＫＫＡ（ｉ，３）であると判断した場合は、読み取り制御手段は、ｉ＿ＭＩＮに２を設定する（ステップＳ２１４）。読み取り制御手段が、ＴＢＬ＿ＲＤＫＥＫＫＡ（ｉ，２）＜ＴＢＬ＿ＲＤＫＥＫＫＡ（ｉ，３）でないと判断した場合は、読み取り制御手段は、ＴＢＬ＿ＲＤＫＥＫＫＡ（ｉ，３）＝０かを判断する（ステップＳ２１３）。読み取り制御手段が、ＴＢＬ＿ＲＤＫＥＫＫＡ（ｉ，３）＝０であると判断した場合は、ステップＳ２１４に進み、読み取り制御手段が、ＴＢＬ＿ＲＤＫＥＫＫＡ（ｉ，３）＝０でないと判断した場合は、ステップＳ２１９に進む。【００７６】
ステップＳ２０４において、読み取り制御手段が、ＴＢＬ＿ＲＤＫＥＫＫＡ（ｉ，１）＜ＴＢＬ＿ＲＤＫＥＫＫＡ（ｉ，３）かを判断する（ステップＳ２０４）。読み取り制御手段が、ＴＢＬ＿ＲＤＫＥＫＫＡ（ｉ，１）＜ＴＢＬ＿ＲＤＫＥＫＫＡ（ｉ，３）でないと判断した場合は、ステップＳ２０５に進む。読み取り制御手段が、ＴＢＬ＿ＲＤＫＥＫＫＡ（ｉ，１）＜ＴＢＬ＿ＲＤＫＥＫＫＡ（ｉ，３）であると判断した場合は、読み取り制御手段は、ｉ＿ＭＩＮに１を設定する（ステップＳ２１５）。【００７７】
ステップＳ２０５において、読み取り制御手段が、ＴＢＬ＿ＲＤＫＥＫＫＡ（ｉ，３）＝０かを判断する（ステップＳ２０５）。読み取り制御手段が、ＴＢＬ＿ＲＤＫＥＫＫＡ（ｉ，３）＝０であると判断した場合は、ステップＳ２２０に進む。読み取り制御手段が、ＴＢＬ＿ＲＤＫＥＫＫＡ（ｉ，３）＝０でないと判断した場合は、ステップＳ２１９に進む。【００７８】
図３１は、図２８のステップＳ１２６の処理の詳細を説明する図である。読み取り制御手段が、ｉ＿ＭＩＮ＝１かを判断する（ステップＳ２２１）。読み取り制御手段が、ｉ＿ＭＩＮ＝１であると判断した場合は、読み取り制御手段は、ＴＢＬ＿ＲＤＫＥＫＫＡ（ｉ，２）とＴＢＬ＿ＲＤＫＥＫＫＡ（ｉ，３）を０クリアする（ステップＳ２２２）。読み取り制御手段が、ｉ＿ＭＩＮ＝１でないと判断した場合は、読み取り制御手段は、ｉ＿ＭＩＮ＝２かを判断する（ステップＳ２２３）。読み取り制御手段が、ｉ＿ＭＩＮ＝２であると判断した場合は、読み取り制御手段は、ＴＢＬ＿ＲＤＫＥＫＫＡ（ｉ，１）とＴＢＬ＿ＲＤＫＥＫＫＡ（ｉ，３）を０クリアする（ステップＳ２２４）。読み取り制御手段が、ｉ＿ＭＩＮ＝２でないと判断した場合は、読み取り制御手段は、ｉ＿ＭＩＮ＝３かを判断する（ステップＳ２２５）。読み取り制御手段が、ｉ＿ＭＩＮ＝３であると判断した場合は、読み取り制御手段は、ＴＢＬ＿ＲＤＫＥＫＫＡ（ｉ，１）とＴＢＬ＿ＲＤＫＥＫＫＡ（ｉ，２）を０クリアする（ステップＳ２２６）。読み取り制御手段が、ｉ＿ＭＩＮ＝３でないと判断した場合は、処理を終了する。【００７９】
図３２は、図２８のステップＳ１２７の処理の詳細を説明する図である。読み取り制御手段が、Ｋに０を設定し（ステップＳ２３１）、ＴＢＬ＿ＲＤＫＥＫＫＡ（（ｉ＋１＋Ｋ），１）＝ＴＢＬ＿ＴＧ（Ｊ）かを判断する（ステップＳ２３２）。読み取り制御手段が、ＴＢＬ＿ＲＤＫＥＫＫＡ（（ｉ＋１＋Ｋ），１）＝ＴＢＬ＿ＴＧ（Ｊ）であると判断した場合は、ＴＢＬ＿ＲＤＫＥＫＫＡ（（ｉ＋１＋Ｋ），１）に０を設定して（ステップＳ２３３）、ステップＳ２３４に進む。【００８０】
上記のステップＳ２３２において、読み取り制御手段が、ＴＢＬ＿ＲＤＫＥＫＫＡ（（ｉ＋１＋Ｋ），１）＝ＴＢＬ＿ＴＧ（Ｊ）でないと判断すると、読み取り制御手段は、ＴＢＬ＿ＲＤＫＥＫＫＡ（（ｉ＋１＋Ｋ），２）＝ＴＢＬ＿ＴＧ（Ｊ）かを判断する（ステップＳ２３４）。読み取り制御手段が、ＴＢＬ＿ＲＤＫＥＫＫＡ（（ｉ＋１＋Ｋ），２）＝ＴＢＬ＿ＴＧ（Ｊ）であると判断した場合は、ＴＢＬ＿ＲＤＫＥＫＫＡ（（ｉ＋１＋Ｋ），２）に０を設定して（ステップＳ２３５）、ステップＳ２３６に進む。【００８１】
上記のステップＳ２３４において、読み取り制御手段が、ＴＢＬ＿ＲＤＫＥＫＫＡ（（ｉ＋１＋Ｋ），２）＝ＴＢＬ＿ＴＧ（Ｊ）でないと判断すると、読み取り制御手段は、ＴＢＬ＿ＲＤＫＥＫＫＡ（（ｉ＋１＋Ｋ），３）＝ＴＢＬ＿ＴＧ（Ｊ）かを判断する（ステップＳ２３６）。読み取り制御手段が、ＴＢＬ＿ＲＤＫＥＫＫＡ（（ｉ＋１＋Ｋ），３）＝ＴＢＬ＿ＴＧ（Ｊ）であると判断した場合は、ＴＢＬ＿ＲＤＫＥＫＫＡ（（ｉ＋１＋Ｋ），３）に０を設定して（ステップＳ２３７）、ステップＳ２３８に進む。【００８２】
上記のステップＳ２３６において、読み取り制御手段が、ＴＢＬ＿ＲＤＫＥＫＫＡ（（ｉ＋１＋Ｋ），３）＝ＴＢＬ＿ＴＧ（Ｊ）でないと判断すると、読み取り制御手段が、Ｋをインクリメントして（ステップＳ２３８）、ｉ＋１＋Ｋ＜ＴＧ＿ＲＤ＿ＭＡＸかを判断する（ステップＳ２３９）。読み取り制御手段が、ｉ＋１＋Ｋ＜ＴＧ＿ＲＤ＿ＭＡＸでないと判断した場合は、処理を終了し、読み取り制御手段が、ｉ＋１＋Ｋ＜ＴＧ＿ＲＤ＿ＭＡＸであると判断した場合は、ステップＳ２３２に戻る。【００８３】
図３４は、図２４のステップＳ１３において実行される、位置認証処理の一例を示す図である。判断処理手段３３が、ｉに１を設定し、Ｊに０を設定する（ステップＳ１３１）。次に、判断処理手段３３が、変数ＲＤ−Ｎｏに、ＴＢＬ＿ＰＮＴ（ｉ，１）を代入し、変数ＮＩＮＳＨＯＵに位置認証テーブルにおけるＴＢＬ＿ＰＮＴ（ｉ，２）を代入する（ステップＳ１３２）。ＴＢＬ＿ＰＮＴ（ｉ，１）は、認証装置３が備える後述する位置認証テーブルにおける第ｉ行第１列の格納値であり、ＴＢＬ＿ＰＮＴ（ｉ，２）は、位置認証テーブルにおける第ｉ行第２列の格納値である。【００８４】
位置認証テーブルの一例を図３５に示す。位置認証テーブルは、ＲＦＩＤタグリーダ３１の識別番号（ＲＦＩＤタグリーダＮｏ）と当該ＲＦＩＤタグリーダ３１が読み取るべきＲＦＩＤタグ２１のＩＤ番号（ＲＦＩＤタグＮｏ）との対応情報を格納する。例えば、図３５に示す位置認証テーブルには、ＲＦＩＤタグリーダ３１の識別番号に対応付けて、ＲＦＩＤタグのＩＤ番号に対応する値（１〜３）が格納される。ここで、ＴＢＬ＿ＰＮＴ（ｉ，Ｍ）を、位置認証テーブルの第ｉ行第Ｍ列の格納値であると定義すると、図３５に示す位置認証テーブルでは、ＴＢＬ＿ＰＮＴ（１，１）＝１４、ＴＢＬ＿ＰＮＴ（１，２）＝１、ＴＢＬ＿ＰＮＴ（２，１）＝１５、ＴＢＬ＿ＰＮＴ（２，２）＝３、ＴＢＬ＿ＰＮＴ（３，１）＝２０、ＴＢＬ＿ＰＮＴ（３，２）＝２となる。従って、例えば、上記ステップＳ１３２において、ｉ＝１の時、ＴＢＬ＿ＰＮＴ（１，１）＝１４であるため、１４が変数ＲＤ−Ｎｏに設定される。また、ＴＢＬ＿ＰＮＴ（１，２）＝１であるため、１が変数ＮＩＮＳＨＯＵに設定される。【００８５】
次に、判断処理手段３３が、ＴＢＬ＿ＲＤＫＥＫＫＡ（ＲＤ−Ｎｏ，１）、ＴＢＬ＿ＲＤＫＥＫＫＡ（ＲＤ−Ｎｏ，２）、ＴＢＬ＿ＲＤＫＥＫＫＡ（ＲＤ−Ｎｏ，３）のいずれかが、変数ＮＩＮＳＨＯＵに設定された値と等しいかを判断する（ステップＳ１３３）。判断処理手段３３が、ＴＢＬ＿ＲＤＫＥＫＫＡ（ＲＤ−Ｎｏ，１）、ＴＢＬ＿ＲＤＫＥＫＫＡ（ＲＤ−Ｎｏ，２）、ＴＢＬ＿ＲＤＫＥＫＫＡ（ＲＤ−Ｎｏ，３）のいずれも変数ＮＩＮＳＨＯＵに設定された値と等しくないと判断した場合は、認証不許可として（ステップＳ１３８）、処理を終了する。判断処理手段３３が、ＴＢＬ＿ＲＤＫＥＫＫＡ（ＲＤ−Ｎｏ，１）、ＴＢＬ＿ＲＤＫＥＫＫＡ（ＲＤ−Ｎｏ，２）、ＴＢＬ＿ＲＤＫＥＫＫＡ（ＲＤ−Ｎｏ，３）のいずれかが、変数ＮＩＮＳＨＯＵに設定された値と等しいと判断した場合は、判断処理手段３３は、Ｊをインクリメントするとともに（ステップＳ１３４）、ｉをインクリメントする（ステップＳ１３５）。次に、判断処理手段３３が、ｉ＜ＴＧ＿ＲＤ＿ＭＡＸかを判断する（ステップＳ１３６）。判断処理手段３３が、ｉ＜ＴＧ＿ＲＤ＿ＭＡＸであると判断した場合は、ステップＳ１３２に戻る。判断処理手段３３が、ｉ＜ＴＧ＿ＲＤ＿ＭＡＸでないと判断した場合は、判断処理手段３３は、Ｊ＝ＴＧ＿ＩＤ＿ＭＡＸかを判断する（ステップＳ１３７）。判断処理手段３３が、Ｊ＝ＴＧ＿ＩＤ＿ＭＡＸであると判断した場合は、判断処理手段３３は、認証許可する（ステップＳ１３９）。判断処理手段３３が、Ｊ＝ＴＧ＿ＩＤ＿ＭＡＸでないと判断した場合は、判断処理手段３３は、認証不許可とする（ステップＳ１３８）。【００８６】
この本発明を実現するプログラムは、コンピュータが読み取り可能な記録媒体、例えば半導体メモリ、ハードディスク、ＣＤ−ＲＯＭ、ＤＶＤ等に格納することができ、これらの記録媒体に記録して提供され、又は、通信インタフェースを介してネットワークを利用した送受信により提供される。
【産業上の利用可能性】
【００８７】
本発明の情報表示装置及び情報表示方法によれば、電子ペーパーと認証装置とを重ねるという簡便な操作でセキュリティ確保のための認証を行って、認証結果に応じて電子ペーパー上又は認証装置上への情報の表示を行うことが可能となる。また、電子ペーパーと認証装置との位置関係を所定の相対的な位置とした場合にのみ電子ペーパー上又は認証装置上に情報を表示するので、セキュリティ強度を高くすることができ、情報漏洩が生ずる危険を少なくすることができる。【００８８】
また、本発明の情報表示装置によれば、情報表示装置のユーザは、例えば、認証装置上において配置画像が表示された領域に電子ペーパーを重ねることで、電子ペーパー上又は認証装置上に情報を表示させることができる。この結果、ユーザが電子ペーパーを認証装置のどの領域に重ねたらよいか迷ったり、電子ペーパーを重ねる領域を間違えたりする可能性を低くすることができ、電子ペーパーの操作上の利便性を高くすることができる。また、本発明の情報表示装置によれば、電子ペーパーを認証装置に単純に重ねただけでは、電子ペーパー上又は認証装置上に情報が表示されないようにすることができる。従って、例えば、ユーザが、電子ペーパーと認証装置とを重ねて、カバン、袋、引き出し又は保存用のバインダー等に保管収容しようとする際に、ユーザの意志に反して電子ペーパーに情報が表示されることがないようにすることができる。【００８９】
また、本発明の情報表示装置は、複数のＲＦＩＤタグ及びＲＦＩＤタグリーダによって検知された電子ペーパーと認証装置との位置関係を所定の相対的な位置とした場合にのみ電子ペーパー上又は認証装置上に情報を表示する。従って、本発明の情報表示装置によれば、セキュリティ強度をさらに高くすることができ、情報漏洩が生ずる危険をさらに少なくすることができる。【００９０】
また、本発明の情報表示装置によれば、一つのＲＦＩＤタグリーダが複数のＲＦＩＤタグの識別番号を読み取ってしまうことを防ぐことが可能となる。この結果、電子ペーパー又は認証装置についての位置認証処理を正しく実行することが可能となる。
【図１】
2007135711.tif 000003
【図２】
2007135711.tif 000004
【図３】
2007135711.tif 000005
【図４】
2007135711.tif 000006
【図５】
2007135711.tif 000007
【図６】
2007135711.tif 000008
【図７】
2007135711.tif 000009
【図８】
2007135711.tif 000010
【図９】
2007135711.tif 000011
【図１０】
2007135711.tif 000012
【図１１】
2007135711.tif 000013
【図１２】
2007135711.tif 000014
【図１３】
2007135711.tif 000015
【図１４】
2007135711.tif 000016
【図１５】
2007135711.tif 000017
【図１６】
2007135711.tif 000018
【図１７】
2007135711.tif 000019
【図１８】
2007135711.tif 000020
【図１９】
2007135711.tif 000021
【図２０】
2007135711.tif 000022
【図２１】
2007135711.tif 000023
【図２２】
2007135711.tif 000024
【図２３】
2007135711.tif 000025
【図２４】
2007135711.tif 000026
【図２５】
2007135711.tif 000027
【図２６】
2007135711.tif 000028
【図２７】
2007135711.tif 000029
【図２８】
2007135711.tif 000030
【図２９】
2007135711.tif 000031
【図３０】
2007135711.tif 000032
【図３１】
2007135711.tif 000033
【図３２】
2007135711.tif 000034
【図３３】
2007135711.tif 000035
【図３４】
2007135711.tif 000036
【図３５】
2007135711.tif 000037
【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
電子ペーパーと前記電子ペーパーを認証する認証装置とからなる情報表示装置であって、
前記電子ペーパー及び前記認証装置に備えられ、前記電子ペーパーと前記認証装置とが重ねられた場合の前記電子ペーパーと前記認証装置との間の相対的な位置を検知する第１及び第２の位置検知手段と、
前記第１及び第２の位置検知手段によって検知された前記相対的な位置が所定の関係にあるかを判断する位置認証処理を行い、前記位置認証処理結果に基づいて、前記電子ペーパー又は前記認証装置に対して制御信号を送出する判断処理手段と、
前記送出された制御信号に基づいて、前記電子ペーパー上又は前記認証装置上に文字情報又は画像情報を表示する情報表示手段とを備え、
前記第１及び第２の位置検知手段が、ＲＦＩＤタグ及び前記ＲＦＩＤタグの識別情報を読み取るＲＦＩＤタグリーダからなる
ことを特徴とする情報表示装置。
【請求項２】
請求項１に記載の情報表示装置において、
前記情報表示手段が、前記電子ペーパーと前記認証装置とを重ねるべき領域を示す画像である配置画像を前記電子ペーパー上又は前記認証装置上に表示し、
前記判断処理手段が、前記電子ペーパーの前記配置画像が表示される領域に前記認証装置が重ねられた場合、又は、前記認証装置の前記配置画像が表示される領域に前記電子ペーパーが重ねられた場合、前記電子ペーパー又は前記認証装置に対して制御信号を送出する
ことを特徴とする情報表示装置。
【請求項３】
請求項１に記載の情報表示装置が、さらに、
複数の前記第１及び第２の位置検知手段を備え、
前記判断処理手段が、前記複数の前記第１及び第２の位置検知手段によって検知された前記電子ペーパーと前記認証装置との間の相対的な位置が所定の関係にあるかを判断する位置認証処理を行う
ことを特徴とする情報表示装置。
【請求項４】
請求項３に記載の情報表示装置において、
前記複数の第１及び第２の位置検知手段が、さらに、各ＲＦＩＤタグリーダが前記各ＲＦＩＤタグリーダに対応する一つの前記ＲＦＩＤタグの識別情報を読み取るように制御する読み取り制御手段を備える
ことを特徴とする情報表示装置。
【請求項５】
電子ペーパーと前記電子ペーパーを認証する認証装置とからなる情報表示装置における情報表示方法であって、
前記電子ペーパーと前記認証装置とが重ねられた場合の前記電子ペーパーと前記認証装置との間の相対的な位置を、ＲＦＩＤタグ及び前記ＲＦＩＤタグの識別情報を読み取るＲＦＩＤタグリーダを用いて検知し、
前記検知された前記相対的な位置が所定の関係にあるかを判断する位置認証処理を行い、前記位置認証処理結果に基づいて、前記電子ペーパー又は前記認証装置に対して制御信号を送出し、
前記送出された制御信号に基づいて、前記電子ペーパー上又は前記認証装置上に文字情報又は画像情報を表示する
ことを特徴とする情報表示方法。
【国際調査報告】
2007135711.tif 000038
2007135711.tif 000039